(57)【特許請求の範囲】
【請求項１】
門型のフレームの脚部に走行装置が設けられた移動台車と、前記門型のフレームの内側上方に設定される管理機ユニットである茶刈機とを具え、作業者が搭乗、運転して茶畝を跨ぎながら走行して茶刈作業を行う装置において、
前記門型のフレームの上端水平個所に上部デッキを形成するとともに、更にこの上部デッキの下面側には、設置シェルフが設けられ、一方前記走行装置を駆動するためのエンジンを搭載するエンジンデッキを、前記上部デッキの前方に上部デッキよりも低い位置に設け、このエンジンにより前記走行装置の他に刈取枝葉の移送のための作用風を供給するブロワ及び前記茶刈機の茶畝の全面刈りを行うための刈刃を駆動するものであり、これらブロワ並びに走行及び刈り取りのための各機器を前記設置シェルフに設置することにより、前記上部デッキのほぼ全面が平面となるようにしたことを特徴とする乗用式茶園管理装置。
【請求項２】
前記ブロワは複数基設けられることを特徴とする請求項１記載の乗用式茶園管理装置。
【請求項３】
前記複数のブロワは回転軸が同軸であることを特徴とする請求項２記載の乗用式茶園管理装置。
【請求項４】
前記複数のブロワの羽根の取付位置を、隣り合うブロワの羽根が軸方向から見て重ならないように、一方のブロワの羽根が他方のブロワの羽根の間に位置するよう互いにずらして設けることを特徴とする請求項３記載の乗用式茶園管理装置。
【発明の詳細な説明】
【０００１】
【発明の属する技術分野】
本発明は茶畝を跨いで走行しながら摘採等の茶園管理を行う乗用式の茶園管理装置に関するものであって、特に走行時の安定性と、刈り取られた刈取枝葉の移載作業の作業性とを向上させた乗用式茶園管理装置に係るものである。
【０００２】
【発明の背景】
近時作業者が搭乗して運転しながら茶葉の摘採等の茶園管理を行ういわゆる乗用式茶園管理装置が普及している。この装置の概略は、門型のフレームの脚部に走行装置が設けられた移動台車と、前記門型のフレームの内側上方に設定される管理機ユニットとを具えて成る。そしてこの種の乗用式茶園管理装置は、管理機ユニットや走行装置の駆動や、刈り取った刈取枝葉の移送のためのエンジンやブロワ等を具えているものであり、これらエンジンとブロワについては、移動台車の上部デッキ上面に設置することが一般的に行われている。
【０００３】
しかしながら前記エンジンとブロワは大型で重量の嵩むものであるから、装置全体の重心が高くなり、走行時の安定性あるいは運搬用のトラックへの載せ降ろしの際、更には茶畝と枕地との間の段差等を通過する際には、操縦に不安感があることは免れなかった。
【０００４】
また乗用式茶園管理装置は、走行しながら摘採した茶葉を茶袋に収容して順次摘採作業を進めるが、移動台車の上部デッキ上は、茶葉を充填した茶袋を一時的に積載する荷台として作用するような形態となって用いられている。このような場合、前述したブロワ等がデッキ上面のかなりの面積を占めて設置されていると、当然ながら積載スペースが限られる。
【０００５】
更に茶園の構造上、茶園管理装置の左右いずれかで茶袋のトラックへの積載作業が行われるとは限らず、この茶園管理装置のどの方向からもこのような積卸し作業ができることが好ましい。しかしながら、このような大型のブロワが、デッキ上面に存在すると、それが設置されている位置では積卸し作業がほとんど出来ないという作業性での問題があった。特にこのブロワについては、茶園管理の効率化等で、茶畝巾が広くなる傾向があるが、このような場合、摘採した茶葉等を移送させるには、強力な風力を要するため、ますますブロワの大型化が要求され、前述したような欠点が更に強く顕れてしまう。
【０００６】
【開発を試みた技術的課題】
本発明はこのような背景からなされたものであって、乗用式茶園管理装置の重心を低くすることにより走行安定性が増し、搭乗者の運転時の不安感を解消するとともに、茶袋の積卸し作業が、乗用式茶園管理装置の側方のみならず、前方からも行える乗用式茶園管理装置の開発を試みたものである。
【０００７】
【課題を解決するための手段】
すなわち請求項１記載の乗用式茶園管理装置は、門型のフレームの脚部に走行装置が設けられた移動台車と、前記門型のフレームの内側上方に設定される管理機ユニットである茶刈機とを具え、作業者が搭乗、運転して茶畝を跨ぎながら走行して茶刈作業を行う装置において、前記門型のフレームの上端水平個所に上部デッキを形成するとともに、更にこの上部デッキの下面側には、設置シェルフが設けられ、一方前記走行装置を駆動するためのエンジンを搭載するエンジンデッキを、前記上部デッキの前方に上部デッキよりも低い位置に設け、このエンジンにより前記走行装置の他に刈取枝葉の移送のための作用風を供給するブロワ及び前記茶刈機の茶畝の全面刈りを行うための刈刃を駆動するものであり、これらブロワ並びに走行及び刈り取りのための各機器を前記設置シェルフに設置することにより、前記上部デッキのほぼ全面が平面となるようにしたことを特徴として成るものである。
この発明によれば、乗用式茶園管理装置の重心が低くなり、走行安定性が増し、茶園内の段差通過時やトラック積載時等の運転に不安がない。また上部デッキ上がブロワ並びに走行及び刈り取りのための各機器が取り除かれて平面であるため、上部デッキ上を広く使え、刈り取った茶葉を収容した茶袋を、上部デッキ上に多く載せることができる。また刈り取った茶葉を収容した茶袋を、乗用式茶園管理装置の側方からのみならず、前方からもトラックの荷台に対し投入できる。
【０００８】
更に請求項２記載の乗用式茶園管理装置は、前記請求項１または２記載の要件に加え、前記ブロワは複数基設けられることを特徴として成るものである。
この発明によれば、従来大型のブロワが一基で構成されていたものを、複数基の小型のブロワで構成することにより、ブロワを上部デッキ下面側の狭いスペースにコンパクトに設置することが可能となる。
【０００９】
更にまた請求項３記載の乗用式茶園管理装置は、前記請求項３記載の要件に加え、前記複数のブロワは回転軸が同軸であることを特徴として成るものである。  この発明によれば、一基の駆動源により駆動することができ、設置スペースをより狭小で済ますことが可能となる。
【００１０】
更にまた請求項４記載の乗用式茶園管理装置は、前記請求項４記載の要件に加え、前記複数のブロワの羽根の取付位置を、隣り合うブロワの羽根が軸方向から見て重ならないように、一方のブロワの羽根が他方のブロワの羽根の間に位置するよう互いにずらして設けることを特徴として成るものである。
この発明によれば、複数のブロワの稼働音を互いに打ち消し合うことにより、ブロワの稼働音は小さくなる。
【００１１】
【発明の実施の形態】
以下本発明を図示の実施の形態に基づいて具体的に説明する。符号１は本発明が適用される乗用式茶園管理装置であり、このものは図１〜３にその全体構成を示すものであって、大別すると茶畝を跨いで走行する移動台車２と、この移動台車２に対し搭載され、茶刈作業に直接寄与する管理機ユニット３とを具えるものである。なお図示の実施例では管理機ユニット３として摘採機を適用した実施の形態を示すが、その他剪枝機等の適宜の茶刈機を搭載して実施することが可能である。また更には防除、防疫等の薬剤散布機を適用することもでき、この際には例えば前記ブロワ２５、２６は薬剤等の散布用の作用風を供給するようにしてもよい。
【００１２】
まず前記移動台車２について概略を説明する。この移動台車２は、茶畝を跨いで走行できるようにするために走行方向から見てほぼ門形を成すフレームＦを機枠部材とし、これに種々の走行のための機器が設けられている。前記フレームＦは茶畝間に立ち上がるように位置する左右の脚部フレームＦ１と、その脚部フレームＦ１の上端を水平に結ぶような上部フレームＦ２と、更に脚部フレームＦ１の一部に対し昇降自在に取り付けられる昇降フレームＦ３とを具えて成る。そして前記脚部フレームＦ１の下端には、一例としてクローラを適用した走行装置２０を設ける。もちろんこの走行装置２０はこのようなクローラに限らず茶畝間の畑地を過剰に押し付けないような空気タイヤ等、適宜の手段がとり得る。
【００１３】
前記上部フレームＦ２には、エキスパンドメタルや鉄板等を張設して平らな上部デッキ２ａを形成し、この上部デッキ２ａ上には操縦席２１のみが右前方上面に設けられる。そして操縦席２１の前方側には、コントロールボックス２２が設けられる。一方上部デッキ２ａの下面側には、本発明の特徴として設置シェルフ２ｂが設けられ、ここに摘採された茶葉を移送するための作用風を供給するブロワ２５、２６、エンジン２３の燃料タンク２８及び油圧ポンプ等が設けられる。  また上部デッキ２ａの左前方側にはエンジン２３を設置するためのエンジンデッキ２ｃが設けられ、このエンジンデッキ２ｃは、上部デッキ２ａよりも低い位置に設けられている。
【００１４】
前記ブロワ２５、２６について説明すると、このものは本発明の特徴として小型のものが二基設けられるものであり、回転軸２５Ｓを同軸としている。そして回転する羽根２５ａ、２６ａの動作音を小さく抑えるため、軸方向から見て一方のブロワ２５の羽根２５ａを、他方のブロワ２６の隣り合う羽根２６ａのほぼ中間に位置するように回転軸２５Ｓに対し取り付けているものである。すなわち図４（ｂ）に示されるように、ブロワ２５、２６の羽根２５ａ、２６ａの取付位置を、回転軸２５Ｓを中心として、羽根ピッチＰｔの約二分の一ずつずらして設けている。なお前述したように一方のブロワ２５の羽根２５ａを、他方のブロワ２６の隣り合う羽根２６ａのほぼ中間に位置させる他、羽根２５ａ、２６ａが軸方向から見て重ならない範囲内で羽根２５ａ、２６ａを近づけて設けるようにしてもよい。
そして図４（ａ）に示されるように、ブロワ２５、２６の回転軸２５Ｓは、前記エンジン２３により回転駆動されるものであり、エンジン２３の駆動軸２３ａに設けられたプーリ２４ＡにＶベルト２４Ｂが巻回され、この回転を電磁クラッチ２４Ｃに伝え、そしてこの電磁クラッチ２４Ｃを介してブロワ２５、２６の回転軸２５Ｓに回転を伝達している。またブロワ２５、２６の送風口には、管理機ユニット３の上下移動に伴って伸縮可能なフレキシブルダクトを適用されたダクト２７が接続され、後述する風送管３１に接続されている。なおダクト２７としては、このようなフレキシブルダクトを用いる他、管状部材を密閉状態に入れ子状に嵌め合わせ伸縮自在としたものを用いるようにしてもよい。
【００１５】
また前記エンジン２３により図示を省略するが油圧ポンプを駆動し、この油圧ポンプにより供給される作動油により前記走行装置２０の駆動や管理機ユニット３における刈刃３０の駆動、更には前記昇降フレームＦ３の駆動を行う。
【００１６】
次に管理機ユニット３の主要部材について説明すると、まず符号３０は前述した刈刃であって、二枚の上下一対に組み合わせた長杆状の部材に多数の歯を形成し、この上下一対の刈刃を往復摺動させることにより刈り取りを行ういわゆるバリカン式の刈刃である。もちろんここに適用する刈刃は、このようないわゆるバリカン式のものでなくてもよく、例えばロータリー式の回転刃であっても差し支えない。なおこの刈刃３０の駆動にあたっても、前述したように走行装置２０に搭載されたエンジン２３によって駆動される油圧を受けて油圧モータにより刈刃３０を駆動するものである。
【００１７】
この刈刃３０の前方上方には多数の分岐管３１ａを有する風送管３１を有するものであり、摘採作業時にはこの風送管３１から前記ブロワ２５、２６によって生起された移送風がダクト２７により供給されて茶葉を後方に移送させるのである。なお本実施の形態の刈刃３０は、茶畝の全面刈りを行うものであり、風送管３１は左右に分断されたものが用いられ、二つの各ブロワ２５、２６がそれぞれ個別のダクト２７によりこの左右の風送管３１に連接されている。
また前記刈刃３０の直接後方には案内胴３２が形成され、この案内胴３２の後方には茶袋Ｓを載置するための袋台３３が設けられている。
【００１８】
また前記昇降フレームＦ３には詳細な説明は省略するが、適宜コロが設けられ、このものが脚部フレームＦ１に沿って転接するように構成され、それらが全体としてチェーン等により上方に引き上げられるような状態で昇降する。なおこの管理機ユニット３自体は、この昇降フレームＦ３に対し比較的簡易に取り外し自在に取り付けられている。
【００１９】
本発明は以上述べたような具体的な構成を有するものであり、この乗用式茶園管理装置１によれば、エンジン２３、ブロワ２５、２６、燃料タンク２８等が上部デッキ２ａの下面側に設置されているため、乗用式茶園管理装置１の重心が低く、茶園における段差走行時や、トラックＴの荷台への乗用式茶園管理装置１の積み降ろし時等に転倒などの操縦に対する不安がない。更に摘採された茶葉を収容した茶袋Ｓを多く上部デッキ２ａ上に載置でき、トラックＴへの積載回数を減らすことができるようになり作業効率が良い。また上部デッキ２ａ上面にほとんど邪魔となる機器がないため、乗用式茶園管理装置１のどの方向からもトラックＴへの茶袋Ｓの積載作業が行えるようになり、積載効率が良い。
また隣り合うブロワ２５、２６の羽根２５ａ、２６ａが軸方向から見て重ならないように、一方のブロワ２５の羽根２５ａが他方のブロワ２６の羽根２６ａの間に位置するよう互いにずらして設けているため、互いのブロワ２５、２６の稼働音が打ち消し合い、ブロワ２５、２６全体の稼働音が小さくなる。
【００２０】
【発明の効果】
請求項１記載の乗用式茶園管理装置によれば、刈取枝葉の移送のための作用風を供給するブロワ２５、２６が、移動台車２の上部デッキ２ａ下面側に収められているため、乗用式茶園管理装置の重心が低くなり、走行安定性が増し、茶園内の段差通過時やトラックＴ積載時等の運転に不安がない。またブロワ２５、２６並びに走行及び刈り取りのための各機器が上部デッキ２ａ上に無いため、上部デッキ２ａ上を広く使え、刈り取った茶葉が収容された茶袋Ｓを、上部デッキ２ａ上に多く載せることができる。また刈り取った茶葉を収容した茶袋Ｓを、乗用式茶園管理装置１の側方からのみならず、前方からもトラックＴの荷台に対し投入できる。
【００２１】
更に請求項２記載の乗用式茶園管理装置によれば、従来大型のブロワが一基で構成されていたものを、複数基の小型のブロワ２５、２６により構成することにより、ブロワ２５、２６を上部デッキ２ａ下面側の狭いスペースにコンパクトに設置することが可能となる。
【００２２】
また請求項３記載の乗用式茶園管理装置によれば、前記複数のブロワ２５、２６は回転軸２５Ｓが同軸であるため、一基の駆動源により駆動することができ、設置スペースをより狭小で済ますことが可能となる。
【００２３】
また請求項４記載の乗用式茶園管理装置によれば、複数のブロワ２５、２６の羽根２５ａ、２６ａの取付位置を、隣り合うブロワ２５、２６の羽根２５ａ、２６ａが軸方向から見て重ならないように、一方のブロワ２５の羽根２５ａが他方のブロワ２６の羽根２６ａの間に位置するよう互いにずらして設けるため、複数のブロワ２５、２６の稼働音を互いに打ち消し合うことにより、ブロワ２５、２６の稼働音は小さくなる。
【図面の簡単な説明】
【図１】本発明の乗用式茶園管理装置の使用状態を示す斜視図である。
【図２】同上正面図である。
【図３】同上側面図である。
【図４】エンジン、ブロワ間の駆動伝達手段及び送風経路を示す斜視図並びに二基設けられるブロワ間の羽根の取付位置を示す説明図である。
【符号の説明】
１      乗用式茶園管理装置
２      移動台車
２ａ    上部デッキ
２ｂ    設置シェルフ
２ｃ    エンジンデッキ
３      管理機ユニット
２０    走行装置
２１    操縦席
２２    コントロールボックス
２３    エンジン
２３ａ  駆動軸
２４Ａ  プーリ
２４Ｂ  Ｖベルト
２４Ｃ  電磁クラッチ
２５    ブロワ
２５ａ  羽根
２５Ｓ  回転軸
２６    ブロワ
２６ａ  羽根
２７    ダクト
２８    燃料タンク
３０    刈刃
３１    風送管
３１ａ  分岐管
３２    案内胴
３３    袋台
Ｆ      フレーム
Ｆ１    脚部フレーム
Ｆ２    上部フレーム
Ｆ３    昇降フレーム
Ｐｔ    羽根ピッチ
Ｓ      茶袋
Ｔ      トラック
【図１】
0003546412.tif 000002
【図２】
0003546412.tif 000003
【図３】
0003546412.tif 000004
【図４】
0003546412.tif 000005